(57)【要約】本発明は、それぞれ少なくとも１つのキャリッジ（５）を受けるための、複数の、下方向に開いたガイドチャネル（１３）を有するカーテン用の多溝溝要素に関する。それは、それぞれがガイドチャネル（１３）の１つを構成し、チャネル（１３）の長さ方向に移動でき、長さ方向に対して横に固定的に相互に結合されている複数の溝要素（１１，１２）からなる。カーテン用の多溝溝要素はカーテン装置に好適であり、比較的小さな曲げ半径を有する湾曲した部分（２ａ）を有することができる。【選択図】図１
2011518010.tif 000002
【特許請求の範囲】
【請求項１】
それぞれに少なくとも１つのキャリッジ（５）を取り付けるための下方に開いた複数のガイドチャネル（１３）を有する、カーテン装置用のマルチチャネルカーテン溝であって、
それぞれがガイドチャネル（１３）のうちの１つを構成し、長さ方向に対して少なくとも横方向に互いに固定的に結合されている複数の溝（１１，１２）から製造されていることを特徴とするマルチチャネルカーテン溝。
【請求項２】
溝（１１，１２）が、実質的にそれらの全長に渡って、それぞれ互いに機械的に結合されていることを特徴とする請求項１に記載のマルチチャネルカーテン溝。
【請求項３】
溝（１１，１２）が、それぞれ実質的に取り外しできないように互いにラッチロックされているか、又は少なくとも１つの蟻溝によって結合されていることを特徴とする請求項１又は２に記載のマルチチャネルカーテン溝。
【請求項４】
例えば、角度をもって、Ｕ字形又はＳ字形に曲げられていることを特徴とする請求項１〜３のいずれか１項に記載のマルチチャネルカーテン溝。
【請求項５】
前記チャネル（１３）の１つに移動可能にそれぞれがガイドされる複数のキャリッジ（５）を有することを特徴とする請求項１〜４のいずれか１項に記載のマルチチャネルカーテン溝を少なくとも１つ有するカーテン装置。
【請求項６】
前記キャリッジ（５）のそれぞれが、非常に柔軟で、かつカーテン４がそれぞれ取り外し可能に固定できる、平坦で細長い要素（２３）を有することを特徴とする請求項５に記載のカーテン装置。
【請求項７】
平坦なカーテン装置であることを特徴とする請求項５又は６に記載のカーテン装置。
【請求項８】
前記要素（２３）が固定用スライド（fixing  slides）及び／又はドライバー（６，６’又は７）のための手段（２２，２３）を有することを特徴とする請求項７に記載のカーテン装置。
【請求項９】
複数のチャネル（１１，１２）の少なくとも１方の長さ方向側面に沿って長さ方向に互いに移動可能に結合しており、かつ互いに結合しているこれらの溝（１１，１２）が一緒に、１平面上で、それらの長さ方向の延長線（longitudinal  extent）に対して横方向に曲げられることを特徴とする請求項１〜４のいずれか１項に記載のマルチチャネルカーテン溝の製造方法。
【請求項１０】
前記溝（１１，１２）が、互いに固定して機械的に結合され、長さ方向に互いに対して移動できることを特徴とする請求項９に記載の方法。
【請求項１１】
前記溝（１１，１２）が、被覆されている、特に粉体被覆又は陽極酸化されていることを特徴とする請求項９又は１０に記載の方法。
【請求項１２】
互いに結合されている前記溝（１１，１２）が、１００ｃｍ未満、好ましくは５０ｃｍ未満、より好ましくは１０〜２０ｃｍの曲げ半径で曲げられることを特徴とする請求項９〜１１のいずれか１項に記載の方法。
【発明の詳細な説明】
【技術分野】
【０００１】
本発明は、それぞれに少なくとも１つのキャリッジを取り付けるための下方に開いた複数のガイドチャネルを有する、カーテン装置用のマルチチャネルカーテン溝に関する。
【背景技術】
【０００２】
マルチチャネルカーテン溝及びそのようなマルチチャネルカーテン溝を有するカーテン装置が本出願人による特許文献１の先行技術中に開示されている。そこに開示されているマルチチャネルカーテン溝は３つの溝を有する平らなカーテン装置である。手で引くことによって溝中を移動させることができる３つのキャリッジがマルチチャネルカーテン溝に取り付けられている。キャリッジは、止め具及びドライバーカム、並びにそれぞれ平らなアルミニウム製の溝を備えている。カーテンのテープが取り外し可能に固定できる、さかとげ付きのベルクロテープがマルチチャネルカーテン溝に固定されている。
【０００３】
別のマルチチャネルカーテン溝及び平らなカーテン装置が特許文献２及び特許文献３に開示されている。これらのマルチチャネルカーテン溝は１般に、窓の前に取り付けられ、カーテンパネル（はぎ布）の横方向への移動ができる。パネルは、窓全体が見えるように、窓の領域の外へ完全に移動できることが望ましいことが多い。非常に幅の広いパネルの場合、このようにするには、窓に隣接する対応する大きな空きスペースが必要になる。これを、パネルの「パーキング（parking）」ともいう。角形溝を使用することで、窓に隣接して、例えば、９０°の角度までパネルをずらすことができ、パネルを窓に対して直角に延びる壁の前に配置することができる。しかしながら、今までは、比較的狭い半径で湾曲しているマルチチャネルカーテン溝を製造することは非常に複雑で難しかった。
【先行技術文献】
【特許文献】
【０００４】
【特許文献１】ＣＨ−Ａ−６５３５３７
【特許文献２】ＵＳＰ５，１０９，９１０
【特許文献３】ＤＥ１０１５０７７７Ａ
【発明の概要】
【発明が解決しようとする課題】
【０００５】
本発明の目的は、比較的小さな旋回半径で、例えば、９０°の角度まで曲げることができるマルチチャネルカーテン溝を提供することである。
【課題を解決するための手段】
【０００６】
本発明のマルチチャネルカーテン溝は、１つのガイドチャネルをそれぞれ構成し、前記チャネルの長さ方向に移動することができ、長さ方向に対して横方向に互いに固定的に結合されている、複数の溝から製造されることを特徴とする。驚くべきことに、例えば、１０〜２０ｃｍの比較的小さな曲げ半径を有するマルチチャネルカーテン溝は、９０°の角度まで曲げられることが示されている。さらに、マルチチャネルカーテン溝は、繰り返して、例えば、Ｓ字形に曲げることができる。互いに結合されている個々の溝は、比較的狭く、曲げられたときに互いに移動することができる。しかしながら、溝は長さ方向に対して横方向に固定されているため、曲げられている間及び後も互いに固定的に結合されたままでいる。従って、マルチチャネルカーテン溝はより簡単な複数の溝のように取り付けることができるユニットを構成する。例えば、５つ以上のチャネルを有するマルチチャネルカーテン溝も可能である。従って、例えば、Ｓ字形に曲げられた５つのトラックのカーテン装置が、このマルチチャネルカーテン溝によって製造できる。比較的小さな半径で、例えば、９０°まで曲げることが可能なので、比較的小さな空間の側壁にパネルやカーテンを収納することも可能である。本発明のマルチチャネルカーテン溝は、特に平らなカーテン装置、及び特に水平に移動可能な複数のパネルを有するカーテン装置に好適である。しかしながら、他のカーテン装置、例えば、ギャザーカーテン装置を製造することも可能である。
【０００７】
本発明の１つの実施形態によれば、溝はそれぞれ、実質的にそれらの全長に渡って互いに機械的に結合されている。マルチチャネルカーテン溝は、本発明の１つの実施形態に従って、溝それぞれが、実質的に着脱できないように互いにラッチロックされる場合、特に簡単な方法で製造できる。あるいは、蟻継ぎも可能である。このようなラッチロック又は蟻継ぎは非常に簡単かつ安全に製造でき、溝は長さ方向で移動できる。このような溝は、特にアルミニウム製溝として製造できる。
【０００８】
本発明は、少なくとも１つのマルチチャネルカーテン溝を有するカーテン装置にも関する。このカーテン装置は複数のキャリッジを有し、カーテンがキャリッジそれぞれに固定でき、キャリッジそれぞれが、チャネルの１つにおいて移動可能にガイドされる。キャリッジは、例えば、手で引くことによって移動できるが、他の駆動方法、特に電動も考えられる。
【０００９】
本発明は、マルチチャネルカーテン溝の製造方法にも関する。この方法では、複数の溝が、少なくとも１方の長さ方向側面に沿って、長さ方向に移動可能に互いに結合されており、互いに結合されたこれらの溝は、それらの長さ方向の延長線（extent）に対して横方向に一緒に曲げられる。
【００１０】
さらに有利な特徴は、特許請求の範囲の従属請求項、以下の記載及び図面から明らかになる。
【図面の簡単な説明】
【００１１】
【図１】本発明のカーテン装置の１部の概略３次元図である。
【図２】取り付けられたマルチチャネルカーテン溝全体の断面図である。
【図３】８つのチャネルを有するマルチチャネルカーテン溝全体の図２と同様の断面図である。
【図４】個別の溝を示す図である。
【図５】個別の溝を示す図である。
【図６】２つの溝の機械的連結の概略図である。
【図７】本発明のマルチチャネルカーテン溝を示す図である。
【図８】湾曲したマルチチャネルカーテン溝を示す図である。
【図９】湾曲したマルチチャネルカーテン溝を示す図である。
【図１０】個々の部材を省略したキャリッジの３次元図である。
【図１１】ドライバーの３次元図である。
【図１２】ドライバーの３次元図である。
【図１３】ドライバーの３次元図である。
【図１４】スライドの３次元図である。
【発明を実施するための形態】
【００１２】
本発明の具体的な実施形態は、図面を参照しながら以下により詳細に説明する。
【００１３】
図１に示すカーテン装置１はマルチチャネルカーテン溝２を有し、例えばブラケット（図示しない）によって、窓の前で建物の天井に固定することができる。図２，３に示すように、マルチチャネルカーテン溝２は壁９のニッチ１０に埋め込んで設置することができるが、これは必ずしも必要ではない。マルチチャネルカーテン溝２には５つのキャリッジ５が備えられている。キャリッジ５は、溝１２それぞれのチャネル１３内で、スライド２６によってガイドされ移動可能である。チャネル１３を図２に示す。カーテン４はそれぞれキャリッジ５に着脱可能に固定され、比較的幅広で、垂直に延びている。チャネル１３はラッチオンカバー３により両方の端部が閉じられている。キャリッジ５の両端部には、ドライバー６、６’又は７がそれぞれ固定される（図１１，１２及び１３）。これにより複数のカーテン４をまとめて交換することができる。図１において、手前のカーテン４は図面の都合により記載を省略する。複数のカーテン４は異なっていてもよいし、例えばフラットカーテン、又は勿論ギャザーカーテンであってもよい。
【００１４】
上述のように、マルチチャネルカーテン溝２は複数の溝１２からなり、溝１２は、それぞれその長さ方向に延びているチャネル１３を有する。チャネル１３はそれぞれスロット１５に沿って底面が開いている。スロット１５の中をスライド２６がガイドされる。溝１２は特にアルミニウム製溝であり、粉体塗装又は陽極酸化処理したものでもよい。しかしながら、溝１２は他の適切な屈曲可能な材料から製造してもよい。複数の溝１２は、それらの側面及び全長に亘ってそれぞれ互いに固定されて結合している。２つの溝１２間の結合は好ましくは機械的結合であり、特にラッチ結合である。このために、図５に示すように溝１２は左側面上に、その全長に亘って延びる水平に突起したラッチリブ１７を有し、溝１２の下部には同様に、全長に亘って延び、断面がフック形構造であるグリップ部１９を有する。複数の溝１２はそれぞれ、その右側面上部に、下向きに延びる比較的短いラッチリブ１６を有し、これはウエブ１４の外部端に設けられる。下部には同様に全長に亘って延びる受け具１８を有する。
【００１５】
図２に示すように、マルチチャネルカーテン溝２は５つの同１のカーテン溝１２からなる。しかしながら、図４に示すように、左端の溝は溝１１のように構成してもよい。この溝１１は、端面を形成する外側平坦面３０が溝１２と異なる。
【００１６】
図６は、溝１１が溝１２と機械的に結合する仕組みを示す。第１にグリップ部１９を受け具１８内に挿入する。溝１２を溝１１に向けて矢印２０の方向に回転すると、ラッチリブ１７はラッチリブ１６に沿ってスライドし、これと噛み合う。こうして、２つの溝１１及び１２は、それらの全長に沿って固定して結合する。同時に、溝１１及び１２は長さ方向において互いに移動することができる。このように、溝１１，１２は長さ方向に互いにスライドできる。しかしながら、長さ方向に対して横にはこれらは互いに固定して結合されている。図示するラッチ結合部分の代わりに、例えば蟻継ぎ等の他の結合も可能である。これも長さ方向の移動が可能であり、同時に長さ方向に対する横方向の強固な固定が可能である。２つの溝１２間の結合も同１の構成であり、図６と同様に組み立てられる。溝１１は１方の側面でのみ結合可能であり、溝１２は両方のそれぞれの側面で溝１２又は１１と結合可能である。
【００１７】
マルチチャネルカーテン溝２は５つの溝１２からなり、従って、５連続である。互いに結合する溝１２の数は任意である。例えば、図３に示すように８つの溝１２を有するマルチチャネルカーテン溝２’も可能である。しかしながら、２つの溝１２、又は１１及び１２のみを有するマルチチャネルカーテン溝２でもよい。図７に示すマルチチャネルカーテン溝２''は、１つの溝１１及び４つの溝１２からなる。
【００１８】
マルチチャネルカーテン溝２は好ましくは湾曲しており、図８に示すように例えば湾曲２ａ、直線状アーム２ｂ及び第２直線状アーム２ｃを有する。湾曲２ａは、例えば、９０°以下の湾曲であり、曲げ半径は好ましくは５０ｃｍ未満であり、特に１０〜２０ｃｍである。長い方のアーム２ｃは特に窓の上に横方向に延びるアームである。短い方のアーム２ｂは窓から遠ざかるように直角に窓の横に延びる。アーム２ｂの長さはカーテン４の幅又はキャリッジ５の長さと概ね対応している。複数のキャリッジ５は、それぞれ２つのアーム２ｂと２ｃ間でマルチチャネルカーテン溝２に沿って移動可能である。キャリッジ５又はカーテン４がアーム２ｃの領域に位置する場合、これらは（図示していない）窓の前にある。１方、キャリッジ５又はカーテン４がアーム２ｂに移動すると、窓が見える状態になる。もちろん、いくつかのキャリッジ５がアーム２ｃの領域に位置し、他のキャリッジ５がアーム２ｂ又は２ａに位置していてもよい。
【００１９】
図９に、Ｓ字形に湾曲したマルチチャネルカーテン溝２'''を示す。これは２つの湾曲２ａ'''及び２ｂ'''を有する。図８に示す直角形状及び図９に示すＳ字形状とは別に、例えばＵ字形等の他の形状も可能である。また、２以上の湾曲を有していてもよい。
【００２０】
図８及び９に示す湾曲したマルチチャネルカーテン溝２及び２'''は以下のようにして製造することができる。まず、図６に示すように、複数の溝１２、又は１１及び１２を結合して、直線状マルチチャネルカーテン溝を形成する。次に、この直線状マルチチャネルカーテン溝を、対応する型の上において曲げ機で所望の形状に曲げる。ここで、複数の溝１２、又は１１及び１２はこれらの長さ方向に移動する。端部に、図８及び９に示す平たんな端面３１及び３１’を形成するために、複数の溝１２、又は１１及び１２を短くしなければならない。最後に、開口しているチャネル１３をカバー３で閉じる。
【００２１】
キャリッジ５が湾曲２ａ、又は２ａ'''及び２ｂ'''周辺で移動できるように、これらは少なくとも長さ方向において極めて柔軟に構成される。キャリッジ５は平坦で長い基材２３を有し、これは例えば平坦で比較的薄いプラスティック溝からなる。湾曲２ａ、又は２ａ'''及び２ｂ'''において、キャリッジ５はその対応する弾性によって屈曲可能である。複数のキャリッジ５は柔軟であるため、これらはそれぞれ図１０に示す直線形状に戻る。
【００２２】
上部に、長方形又は円形の開口２２が基材２３に設けられ、その開口は、スライド２６及び、図１１〜１３に示すドライバー６、６’及び７を固定するための１列の穴を有する。スライド２６は基材２３に容易に取り付けられ、ラッチロックすることができる。サポート２９の突起３２は、開口２２の１つに噛み合う。ラッチタン３３は、同１の開口に反対側から噛み合う。このように、スライド２６は所望の位置で着脱可能にキャリッジ５に結合している。スライド２６上にローラー２８を取り付けてもよく、これによりキャリッジ５はほぼ摩擦なく動くことができる。しかしながら、ローラー２８を有さないスライドでもよい。ドライバー６、６’及び７はそれぞれ横方向に突出するウイング８、８’、８''を有し、これらはブラケット２７の上に形成される。下部において、保持部３５がブラケット２７に追加して形成されている。ドライバー６、６’及び７を固定する保持部３５は、基材２３の歯状領域２５と係合していてもよい。歯状領域２５は開口２２と同１のグリッドパターンで形成される。上部において、２つの突起３７がブラケット２７上に形成され、これらの突起は開口２２内にそれぞれ挿入することができる。これら突起３７の上方にブラケット２７はそれぞれ固定部３６を有し、これはフィルムヒンジ３４を中心に１８０°まで曲げることができる。固定部３６の上にはラッチタン３８が形成され（図１１〜１３において、部分的にのみ視認できる）、これは固定部３６が１旦曲げられ開口２２の１つに噛み合う。ドライバー６、６’及び７はこのように非常に容易に、それにもかかわらず安全にそして着脱可能にキャリッジ５に固定できる。
【００２３】
カーテン４を着脱可能に固定するのに用いる固定部２４は、基材２３の側面に設ける。この固定部２４は基材２３又はキャリッジ５の全長に亘って延びている。固定部２４は例えば、さかとげ付きのベルクロテープであり、対応するカーテン４の滑らかなベルクロテープに着脱可能に結合することができる。しかしながら、もちろん他の結合でもよい。しかしながら、固定部２４は基材２３に１体的に埋め込まれていてもよい。
【符号の説明】
【００２４】
１  カーテン装置
２  マルチチャネルカーテン溝
２ａ  湾曲
２ｂ  アーム
２ｃ  アーム
３  カバー
４  カーテン
５  キャリッジ
６  ドライバー
７  ドライバー
８  ウイング
９  壁
１０  ニッチ
１１  溝
１２  溝
１３  チャネル
１４  ウエブ
１５  スロット
１６  ラッチリブ
１７  ラッチリブ
１８  受け具
１９  グリップ部
２０  矢印
２２  開口
２３  基材
２４  固定部
２５  歯状領域
２６  スライド
２７  ブラケット
２８  ローラー
２９  サポート
３０  面
３１  端面
３２  突起
３３  ラッチタン
３４  フィルムヒンジ
３５  保持部
３６  固定部
３７  突起
３８  ラッチタン
【図１】
2011518010.tif 000003
【図２】
2011518010.tif 000004
【図３】
2011518010.tif 000005
【図４】
2011518010.tif 000006
【図５】
2011518010.tif 000007
【図６】
2011518010.tif 000008
【図７】
2011518010.tif 000009
【図８】
2011518010.tif 000010
【図９】
2011518010.tif 000011
【図１０】
2011518010.tif 000012
【図１１】
2011518010.tif 000013
【図１２】
2011518010.tif 000014
【図１３】
2011518010.tif 000015
【図１４】
2011518010.tif 000016
【国際調査報告】
2011518010.tif 000017
2011518010.tif 000018
2011518010.tif 000019
2011518010.tif 000020
2011518010.tif 000021
2011518010.tif 000022